(57)【要約】  本発明は、情報（１０７）へのアクセスを制限する、光ディスク（１００）上の再生シーケンスのための方法に関する。光ディスクは、ナビゲーション構造（１０４）とコンテンツ（１０３）とを含んでいる。ナビゲーション構造（１０４）は、前提条件を含む条件コマンドを包含している。前提条件によっては、再生装置は、条件コマンドに対して常に、適用される光ディスク規格で予め規定されたやり方で動作する（１０９）。本発明の方法は、プリセット前提条件と呼ばれる、条件コマンド内の特殊な前提条件を認識することができる（１１１）。この方法を包含する再生装置は、プリセット前提条件を含む条件コマンドに対して、予め規定されたやり方とは異なる動作を行う（１１３）ように命令され得る。プリセット前提条件を含む条件コマンドを光ディスク上に実装すると、結果として、本発明の方法を包含する再生装置は、本発明の方法を包含しない再生装置とは異なる動作を行う。このことを利用して、ディスク（１００）上の情報（１０７）へのアクセスを制限することができる。
2007512646.tif 000002
【特許請求の範囲】
【請求項１】
コンテンツおよびナビゲーション構造を含む光ディスクからの再生シーケンスを実行する方法であって、
前記ナビゲーション構造が、前記コンテンツの前記再生シーケンスを制御するためのナビゲーションコマンドの組からのコマンドを含み、該ナビゲーションコマンドの組が、再生ステータスに関係する前提条件に応じて予め規定されたやり方で前記再生シーケンスを制御するための条件コマンドを含み、
前記コンテンツが、自由にアクセス可能な第１の情報と、先行の条件コマンドでの前記前提条件に依存してアクセス可能とされる第２の情報とを含んでおり、
当該方法が、
前記ナビゲーションコマンドに従って前記コンテンツを再生する工程と、
前記再生ステータスとは無関係なプリセット前提条件を認識する工程と、
前記第２の情報へのアクセスを制御するための、前記プリセット前提条件を含む前記先行の条件コマンドに対し、前記予め規定されたやり方とは異なる動作を行う工程とを含むことを特徴とする方法。
【請求項２】
コンテンツおよびナビゲーション構造を含む光ディスクであって、
前記ナビゲーション構造が、前記コンテンツの再生シーケンスを制御するためのナビゲーションコマンドの組からのコマンドを含み、該ナビゲーションコマンドの組が、再生ステータスに関係する前提条件に応じて予め規定されたやり方で前記再生シーケンスを制御するための条件コマンドを含み、
前記コンテンツが、自由にアクセス可能な第１の情報と、先行の条件コマンドでの前提条件に依存してアクセス可能とされる第２の情報とを含んでおり、
前記先行の条件コマンドが、前記第２の情報へのアクセスを制御するための、前記再生ステータスには無関係であるプリセット前提条件を含んでいることを特徴とする光ディスク。
【請求項３】
前記第１の情報が暗号化されていない情報であり、前記第２の情報が暗号化された情報であることを特徴とする請求項２記載の光ディスク。
【請求項４】
前記先行の条件コマンドでの前記プリセット前提条件が、暗号化された情報をアクセスから保護するように設定されていることを特徴とする請求項３記載の光ディスク。
【請求項５】
前記ナビゲーションコマンドの組からのコマンドであり、ユーザー入力により前記再生ステータスを設定することのできるアクティブ期間中において操作可能なボタンコマンドを含み、
前記ボタンコマンドが、前記再生ステータスに応じて前記予め規定されたやり方で作用するものであり、
前記アクティブ期間が、前記ボタンコマンドの前記前提条件を構成し、
プリセット前提条件を含む前記先行の条件コマンドが、前記第２の情報へのアクセスを制御するための操作不能なボタンコマンドであり、前記プリセット前提条件が、実質的にゼロである前記アクティブ期間によりプリセットされていることを特徴とする請求項２記載の光ディスク。
【請求項６】
前記第１の情報と前記第２の情報とが、当該ディスク上において混在させられていることを特徴とする請求項２記載の光ディスク。
【請求項７】
当該光ディスクがプリセット前提条件を含んでいることを示すための、識別コードを含んでいることを特徴とする請求項２記載の光ディスク。
【請求項８】
コンテンツおよびナビゲーション構造を含む光ディスクからの再生シーケンスを実行する再生装置であって、
前記ナビゲーション構造が、前記コンテンツの前記再生シーケンスを制御するためのナビゲーションコマンドの組からのコマンドを含み、該ナビゲーションコマンドの組が、再生ステータスに関係する前提条件に応じて予め規定されたやり方で前記再生シーケンスを制御するための条件コマンドを含み、
前記コンテンツが、自由にアクセス可能な第１の情報と、先行の条件コマンドでの前記前提条件に依存してアクセス可能とされる第２の情報とを含んでおり、
当該再生装置が、
前記ナビゲーション構造と前記コンテンツとを含むデータを、前記光ディスクから読み出すリーダーユニットと、
前記再生ステータスを規定するためのユーザー入力を受け付ける手段と、
前記リーダーユニットから前記データを受け取り、前記コンテンツと前記ナビゲーション構造とを組み合わせて、前記再生シーケンスを生成する制御ユニットと、
前記再生ステータスとは無関係なプリセット前提条件を認識する手段と、
前記第２の情報へのアクセスを制御するための、前記プリセット前提条件を含む前記先行の条件コマンドに対し、前記予め規定されたやり方とは異なる動作を行う手段とを含むことを特徴とする再生装置。
【請求項９】
前記予め規定されたやり方とは異なる動作を行う手段が、前記第２の情報の飛越しまたは前記第２の情報へのアクセスを行う手段を含んでいることを特徴とする請求項８記載の再生装置。
【請求項１０】
前記予め規定されたやり方とは異なる動作を行う手段が、さらにキーに依存していることを特徴とする請求項８記載の再生装置。
【請求項１１】
前記光ディスク上に存在する、該光ディスクがプリセット前提条件を含んでいるものであることを示すための識別コードを、認識する手段を含んでいることを特徴とする請求項８記載の再生装置。
【請求項１２】
前記識別コードを認識する手段が、前記プリセット前提条件を認識する手段をイネーブル化するように構成されていることを特徴とする請求項１１記載の再生装置。
【請求項１３】
前記第２の情報を解読する手段を含んでいることを特徴とする請求項８記載の再生装置。
【請求項１４】
コンテンツおよびナビゲーション構造を光ディスク上に記録する光ディスク記録装置であって、
前記ナビゲーション構造が、前記コンテンツの再生シーケンスを制御するためのナビゲーションコマンドの組からのコマンドを含み、該ナビゲーションコマンドの組が、光ディスク再生装置の再生ステータスに関係する前提条件に応じて予め規定されたやり方で前記再生シーケンスを制御するための条件コマンドを含み、
前記コンテンツが、自由にアクセス可能な第１の情報と、先行の条件コマンドでの前提条件に依存してアクセス可能とされる第２の情報とを含んでおり、
当該光ディスク記録装置が、
前記ナビゲーション構造と前記コンテンツとを含むデータを、前記光ディスク上に記録するための記録ユニットと、
前記コンテンツを含む入力データを受け取り、前記ナビゲーション構造を生成する制御ユニットと、
前記第２の情報を認識する手段とを含み、
前記制御ユニットが、前記第２の情報へのアクセスを制御するため、前記ナビゲーション構造内の前記先行の条件コマンドに、前記光ディスク再生装置の前記再生ステータスとは無関係なプリセット前提条件を含めるように構成されていることを特徴とする光ディスク記録装置。
【請求項１５】
前記制御ユニットが、前記再生ステータスを規定するためのユーザー入力を受け取るように構成されていることを特徴とする請求項１４記載の光ディスク記録装置。
【請求項１６】
前記第２の情報を暗号化する手段を含んでいることを特徴とする請求項１４記載の光ディスク記録装置。
【請求項１７】
記録後の前記光ディスクがプリセット前提条件を含むものであることを示すための識別コードを、該光ディスクに追加する手段を含んでいることを特徴とする請求項１４記載の光ディスク記録装置。
【請求項１８】
再生シーケンスを実行するためのコンピュータプログラムであって、請求項１記載の方法をプロセッサに実行させるように動作可能なコンピュータプログラム。
【発明の詳細な説明】
【技術分野】
【０００１】
本発明は、コンテンツおよびナビゲーション構造を含む光ディスクであって、ナビゲーション構造が、コンテンツの再生シーケンスを制御するためのナビゲーションコマンドの組からのコマンドを含み、そのナビゲーションコマンドの組が、再生ステータスに関係する前提条件に応じて予め規定されたやり方で再生シーケンスを制御するための条件コマンドを含み、上記のコンテンツが、自由にアクセス可能な第１の情報と、先行の条件コマンドでの前提条件に依存してアクセス可能とされる第２の情報とを含んでいる光ディスクに関するものである。
【０００２】
本発明はまた、光ディスクからの再生シーケンスを実行する方法、光ディスクからの再生シーケンスを実行する再生装置、光ディスク上にコンテンツとナビゲーション構造とを記録する光ディスク記録装置、および情報を記録するためのコンピュータプログラムにも関するものである。
【背景技術】
【０００３】
情報担体に記憶された情報に対するアクセス制限技術が、米国特許第５７２４４７２号より知られている。この特許では、単一のビデオ源に由来するビデオのコンテンツを再構成する方法が開示されている。コンテンツを再構成できる機能を通じて、そのビデオの、一部の視聴者に適さない部分へのアクセスが制限される。ビデオ源は、複数のビデオセグメントと、ナビゲーションコードとを含んでいる。複数のビデオセグメントは、予め確立されたコンテンツ・カテゴリーと関連付けられている。再生シーケンスとも呼ばれる再構成されたビデオは、連続表示されるビデオセグメントのリストである、コンテンツ・マップを定義することにより生成される。コンテンツの再構成の際は、予め確立されたコンテンツ・カテゴリーの選択されたものと関連付けられたセグメントのみを含む、新たなコンテンツ・マップが生成される。これらの選択されたセグメントを合わせたものは、依然として完全なストーリーをもたらす。ナビゲーション構造は、ビデオの一部としての別個のコマンド・リストや単発コマンドといった、選択されたコンテンツの表示を可能とするために再生装置が必要とするすべての情報を含んでいる。ビデオ源上での複数のビデオセグメントの場所は散逸していると想定されるので、新たなコンテンツ・マップをまとめて、オリジナルのビデオと長さが異なるかもしれないシームレスなビデオを表示するためには、バッファが必要である。光ディスク再生装置における特定の再生ステータスを規定することができるユーザー（たとえば親）によって、アクセスが制限され、これにより他の予め確立されたコンテンツ・カテゴリーへのアクセスが制限される。このことは、たとえばユーザーが好まないセグメントや幼い視聴者に適さないセグメントを、そのユーザーがビデオから除外することを可能にする。
【０００４】
光ディスク再生装置およびディスクは、ＤＶＤのようなよく知られた規格に従って作られている。上記で説明した方法は、現在、これらの規格の一部に組み込まれており、「ペアレンタル・コントロール（ｐａｒｅｎｔａｌ  ｃｏｎｔｒｏｌ）」と呼ばれている。コンテンツは、基本的に、自由にアクセス可能な第１の情報と、前提条件に依存してアクセス可能とされる第２の情報とを含んでいる。第２の情報に先行して、条件コマンド（先行の条件コマンドと呼ぶ）が存在する。この先行の条件コマンドは、光ディスク規格で規定されている条件コマンドの組の一部をなす。第２の情報にアクセスする前に、先行の条件コマンドが論理的に処理される。先行コマンドは、ナビゲーション構造の一部であり、たとえばナビゲーションコマンドのリスト内に、別個に記憶され得る。規格ではまた、光ディスク再生装置が条件コマンドに突き当たった際に、その光ディスク再生装置がいかなる動作を実行するかも、予め規定されている。すなわち、第２の情報へのアクセスは、先行の条件コマンド、およびその先行の条件コマンドでの前提条件に依存する。
【０００５】
これまで、コンテンツの再構成、またはコンテンツの特定部分へのアクセス制限を行う手段は、ユーザーにより制御されてきた。
【発明の開示】
【発明が解決しようとする課題】
【０００６】
本発明の１つの目的は、より柔軟なアクセス制限が可能とされるナビゲーション方法を提供することである。
【課題を解決するための手段】
【０００７】
本発明の第１の側面によれば、コンテンツおよびナビゲーション構造を含む光ディスクからの再生シーケンスを実行するナビゲーション方法であって、
上記のナビゲーション構造が、コンテンツの再生シーケンスを制御するためのナビゲーションコマンドの組からのコマンドを含み、そのナビゲーションコマンドの組が、再生ステータスに関係する前提条件に応じて予め規定されたやり方で再生シーケンスを制御するための条件コマンドを含み、
上記のコンテンツが、自由にアクセス可能な第１の情報と、先行の条件コマンドでの前提条件に依存してアクセス可能とされる第２の情報とを含んでおり、
当該方法が、
ナビゲーションコマンドに従ってコンテンツを再生する工程と、
再生ステータスとは無関係なプリセット前提条件を認識する工程と、
第２の情報へのアクセスを制御するための、プリセット前提条件を含む先行の条件コマンドに対し、上記の予め規定されたやり方とは異なる動作を行う工程とを含むナビゲーション方法が提供される。
【０００８】
本発明の第２の側面によれば、
コンテンツおよびナビゲーション構造を含む光ディスクであって、
上記のナビゲーション構造が、コンテンツの再生シーケンスを制御するためのナビゲーションコマンドの組からのコマンドを含み、そのナビゲーションコマンドの組が、再生ステータスに関係する前提条件に応じて予め規定されたやり方で再生シーケンスを制御するための条件コマンドを含み、
上記のコンテンツが、自由にアクセス可能な第１の情報と、先行の条件コマンドでの前提条件に依存してアクセス可能とされる第２の情報とを含んでおり、
上記の先行の条件コマンドが、第２の情報へのアクセスを制御するための、再生ステータスには無関係であるプリセット前提条件を含んでいる光ディスクが提供される。
【０００９】
本発明の第１の側面に従う方法は、プリセット前提条件を認識する工程を含む。このプリセット前提条件は、再生ステータスとは無関係に規定された前提条件である。このことは、プリセット前提条件の結果が固定されており、再生シーケンスの制御のために規定されている再生装置の再生ステータスに依存しないことを意味する。
【００１０】
プリセット前提条件が固定されているため、光ディスク再生装置には常に同一の結果が返され、光ディスクの再生装置は、先行の条件コマンドに対して、予め規定されたやり方、たとえば適当な光ディスク規格で規定されたやり方で動作する。すなわち、かかる条件コマンドは、ダミー条件である。本発明に従う光ディスク再生装置は、プリセット前提条件を認識し、先行の条件コマンドに対して、光ディスク規格で予め規定されているのとは異なる動作を実行するように命令される。
【００１１】
本発明の方法の効果は、プリセット前提条件を認識する能力を有さない再生装置（たとえば「従来型の」再生装置）は、プリセット前提条件を含む先行の条件コマンドに突き当たった際に、常に予め規定された挙動を実行するという効果である。本発明の方法を実行する能力を有する再生装置は、プリセット前提条件を認識して、プリセット前提条件を含む先行の条件コマンドに対して、予め規定されているやり方とは異なる挙動をする。
【００１２】
本発明に従う方法の利点は、光ディスクのコンテンツの各部へのアクセスを制限する、追加の方法を提供する点である。この追加の方法は、光ディスクの製造業者が、コンテンツの一部をアクセスできないように保護し、その保護された情報の周囲に、特定の条件下においてのみその保護された情報へのアクセスを許すようなナビゲーション構造を生成することを可能とする。
【００１３】
情報の一部へのアクセス制限は、ディスクのコンテンツのその部分を暗号化することによって達成できるという認識により、暗号化された光ディスクがもたらされた。「従来型の」再生装置上における暗号化された光ディスクの再生は、その「従来型の」再生装置が暗号化されたコンテンツを表示しようと試みると、その「従来型の」再生装置が未定義の挙動を行うという事態を生じさせる。暗号化された光ディスク上の暗号化されたコンテンツへのアクセスは、プリセット前提条件を含む先行の条件コマンドを用いて制限することができる。これら先行の条件コマンドは、「従来型の」再生装置が、光ディスクの暗号化されたコンテンツを常に避けるようにナビゲーションされるよう、構築され得る。本発明の方法を暗号化された光ディスクに適用することにより、「従来型の」再生装置が、未定義の挙動を行う事態を防止することができる。
【００１４】
本発明の光ディスクの１つの実施形態では、光ディスクは、暗号化された情報と暗号化されていない情報との両方を含む、一部暗号化された光ディスクとされる。光ディスク上のダミー条件の構成は、「従来型の」再生装置が暗号化されたコンテンツを避けるようにナビゲーションされるような構成であってもよい。「従来型の」再生装置から、暗号化されたコンテンツを保護することは、その「従来型の」再生装置が、未定義の挙動を行う事態を防止する。
【００１５】
本発明の光ディスクの１つの実施形態では、先行の条件コマンドは、操作不能なボタンコマンドとされる。標準的なボタンコマンドは、光ディスク規格で規定されているナビゲーションコマンドの一部であり、アクティブ期間中操作可能とされる。アクティブ期間中は、ユーザーが働きかけて再生装置に入力を与えることができるボタン、すなわちユーザーが再生装置の再生ステータスを変更できるボタンが表示される。そのため、標準的なボタンコマンドの結果として得られる動作は、再生装置の再生ステータスに依存する。ボタンがアクティブ状態であるアクティブ期間中にユーザーが入力を与えない場合、予め規定されたやり方（たとえば自動アクティブ化）がなされてもよい。この予め規定されたやり方は、入力が生じるまで、またはジャンプ等の別の規定された動作が生じるまでの停止であってもよい。標準的なボタンコマンドを操作できるアクティブ期間は、その標準的なボタンコマンドの前提条件を構成する。ボタンを操作できる期間をゼロに減らすことにより、操作不能なボタンコマンドが形成される。操作不能なボタンコマンドは、再生ステータスのいかんにかかわらず、予め規定された動作を実行する。本発明に従う方法は、ボタンが操作可能であるアクティブ期間が実質的にゼロであることを通じて、操作不能なボタンコマンドを、標準的なボタンコマンドと区別して認識する。操作不能なボタンコマンドの効果として、「従来型の」再生装置は、操作不能なボタンコマンドに突き当たった際に、常に予め規定されたやり方を実行する。プリセット前提条件を認識できる光ディスク再生装置は、操作不能なボタンコマンドに対し、予め規定されたやり方とは異なる挙動をする。この実施形態の利点は、光ディスクのコンテンツ内とナビゲーション構造内との両方において、操作不能なボタンコマンドを用いることができる点である。
【００１６】
本発明の光ディスクの１つの実施形態では、ダミー条件を通じてアクセスが制限されているコンテンツが、自由にアクセス可能なコンテンツと混在させられる。このようにコンテンツを混在させることは、再生シーケンスが制限コンテンツと自由にアクセス可能なコンテンツとの両方を含む場合に光ディスク再生装置のリーダーユニットが行わなければならない、ジャンプの数を減らす。
【００１７】
本発明の光ディスクの１つの実施形態では、光ディスクは、ディスクのナビゲーション構造内でプリセット前提条件が使用されていることを示す、識別子を含むものとされる。再生装置は、この識別子を用いて、ナビゲーション構造内のダミー条件を認識する手段をアクティブ化する。このことは、ダミー条件を認識する手段が、常時アクティブ状態となることを防止する。また、このことはさらに、条件コマンドを誤ってダミー条件として認識し、条件コマンドに対して、光ディスク規格で予め規定されているのとは異なる動作を誤って行うことを防止する。
【００１８】
本発明の第３の側面によれば、
コンテンツおよびナビゲーション構造を含む光ディスクからの再生シーケンスを実行する再生装置であって、
上記のナビゲーション構造が、コンテンツの再生シーケンスを制御するためのナビゲーションコマンドの組からのコマンドを含み、そのナビゲーションコマンドの組が、再生ステータスに関係する前提条件に応じて予め規定されたやり方で再生シーケンスを制御するための条件コマンドを含み、
上記のコンテンツが、自由にアクセス可能な第１の情報と、先行の条件コマンドでの前提条件に依存してアクセス可能とされる第２の情報とを含んでおり、
当該再生装置が、
ナビゲーション構造とコンテンツとを含むデータを、上記の光ディスクから読み出すリーダーユニットと、
再生ステータスを規定するためのユーザー入力を受け付ける手段と、
上記のリーダーユニットからデータを受け取り、上記のコンテンツとナビゲーション構造とを組み合わせて、再生シーケンスを生成する制御ユニットと、
再生ステータスとは無関係なプリセット前提条件を認識する手段と、
上記の第２の情報へのアクセスを制御するための、プリセット前提条件を含む先行の条件コマンドに対し、予め規定されたやり方とは異なる動作を行う手段とを含む再生装置が提供される。前述のとおり、プリセット前提条件を含む条件コマンドは、ダミー条件である。条件コマンドに対して再生装置が実行する必要のある動作は、適用される光ディスク規格において予め規定されている。プリセット前提条件を認識することのできる再生装置はさらに、プリセット前提条件を含む条件コマンドに対して、適用される光ディスク規格で予め規定されているのとは異なる反応をする手段を含む。その結果、プリセット前提条件を認識することのできる再生装置は、ダミー条件を含む光ディスクに対し、プリセット前提条件を認識しない再生装置とは異なる動作を行う。
【００１９】
本発明の再生装置の１つの実施形態では、光ディスク規格と異なるやり方で動作する手段が、識別コードの使用またはキーの使用を通じてイネーブル化される。光ディスクの実施形態で説明したように、識別コードまたはキーは、ダミー条件を認識する手段が常時アクティブ状態となることを防止する。また、このことはさらに、条件コマンドを誤ってダミー条件として認識し、条件コマンドに対して、光ディスク規格で予め規定されているのとは異なる動作を誤って行うことを防止する。
【００２０】
本発明の再生装置の１つの実施形態では、アクセスが制限されているコンテンツが暗号化されており、再生装置は、コンテンツを解読する手段を含むものとされる。
【００２１】
本発明の第４の側面によれば、
コンテンツおよびナビゲーション構造を光ディスク上に記録する光ディスク記録装置であって、
上記のナビゲーション構造が、コンテンツの再生シーケンスを制御するためのナビゲーションコマンドの組からのコマンドを含み、そのナビゲーションコマンドの組が、光ディスク再生装置の再生ステータスに関係する前提条件に応じて予め規定されたやり方で再生シーケンスを制御するための条件コマンドを含み、
コンテンツが、自由にアクセス可能な第１の情報と、先行の条件コマンドでの前提条件に依存してアクセス可能とされる第２の情報とを含んでおり、
当該光ディスク記録装置が、
ナビゲーション構造とコンテンツとを含むデータを、光ディスク上に記録するための記録ユニットと、
コンテンツを含む入力データを受け取り、ナビゲーション構造を生成する制御ユニットと、
上記の第２の情報を認識する手段とを含み、
上記の制御ユニットが、第２の情報へのアクセスを制御するため、ナビゲーション構造内の先行の条件コマンドに、光ディスク再生装置の再生ステータスとは無関係なプリセット前提条件を含めるように構成されている光ディスク記録装置が提供される。上記の認識する手段は、入力データが第２の情報として記録されるべきものか否かを特定する（すなわち、アクセス制限が必要なコンテンツを特定する）。たとえば、入力データは、そのコードを通じて光ディスク記録装置が第２の情報を認識できるようなコードを包含するものとされる。それにより、光ディスク記録装置の制御ユニットは、プリセット前提条件を含む先行の条件コマンドを、記録されたナビゲーション構造内に含めるものとなる。先行の条件コマンド内にプリセット前提条件を含めることにより、第２の情報へのアクセス制限が実装される。
【００２２】
本発明の光ディスク記録装置の１つの実施形態では、光ディスク記録装置は、アクセスが制限されるコンテンツを暗号化する手段を含むものとされる。光ディスクのコンテンツ全体がアクセス制限を必要とするものではない場合には、アクセスが制限されるコンテンツの暗号化は、部分的に暗号化された光ディスクを結果としてもたらす。ナビゲーション構造内にダミー条件を追加することにより、「従来型の」再生装置は、この暗号化されたコンテンツへの接触を防止されるが、自由にアクセス可能なコンテンツには依然として接触することができる。
【００２３】
本発明の第５の側面によれば、情報を記録するためのコンピュータプログラムであって、上記の本発明の第１の側面において説明した方法をプロセッサに実行させるように動作可能なコンピュータプログラムが提供される。
【００２４】
また、本発明の有利な実施形態が、各従属請求項において規定されている。
【発明を実施するための最良の形態】
【００２５】
以下、本発明の上記およびその他の側面を、図面を参照して説明し明らかにする。図面は説明のためのものであり、精確な縮尺で描かれてはいない。図面全体を通じて、同一の要素は同一の参照番号で示されている。
【００２６】
図１は、本発明に従う方法の流れ図を示している。光ディスク１００（ＯＰＴＩＣＡＬ  ＤＩＳＣ）から取り出された読出データ１０１（ＲＥＡＤ  ＤＡＴＡ）は、コンテンツ１０３（ＣＯＮＴＥＮＴ）と、ナビゲーション構造１０４（ＮＡＶＩＧＡＴＩＯＮ  ＳＴＲＵＣＴＵＲＥ）とを含んでいる。コンテンツ１０３は、自由にアクセス可能なコンテンツ（いわゆるフリーコンテンツ１０６；ＦＲＥＥ  ＣＯＮＴＥＮＴ）と、アクセスがナビゲーションコマンドに依存するコンテンツ（いわゆる制限コンテンツ１０７；ＣＯＮＴＲＯＬＬＥＤ  ＣＯＮＴＥＮＴ）とを含んでいる。ナビゲーション構造１０４は、コマンドシーケンスとルックアップテーブルとを含む。これらにより、再生装置３００（ＰＬＡＹＥＲ；図３）内のリーダーユニット３０２（ＲＥＡＤＥＲ  ＵＮＩＴ）は、ディスクからコンテンツの一部を読み出すため、光ディスク１００上の種々の異なる場所に向けて動かされる。再生装置３００内の制御ユニット３０３（ＣＯＮＴＲＯＬ  ＵＮＩＴ）は、これら種々の異なるコンテンツ部分を繋ぎ合わせて、１つのシーケンス（いわゆる再生シーケンス１１２；ＰＬＡＹＢＡＣＫ  ＳＥＱＵＥＮＣＥ）とする。光ディスクがＤＶＤである場合には、再生装置３００内の制御ユニット３０３は、ビデオコンテンツの種々の異なる部分を繋ぎ合わせて、１つの完全なビデオを形成する。再生シーケンス１１２にコンテンツ１０３のどの部分が含められるかは、ナビゲーション構造１０４内のコマンドに依存する。使用できるコマンド、およびかかるコマンドに突き当たった際に再生装置３００がいかなる動作を実行するかは、光ディスク規格内で予め規定されている。制限コンテンツ１０７へのアクセス制限は、ナビゲーションコマンドのサブセットを用いて既になされている。１つの例（ペアレンタル・コントロール）は、従来技術で示されている。しかしながら、コンテンツのどの部分がアクセスされるかの決定は、再生装置３００のユーザーにより担われてきた。
【００２７】
本発明は、標準的な条件コマンド内において特別の前提条件を用いることを通じて、光ディスク上の制限コンテンツ１０７へのアクセスを制御する方法に関するものである。これらの特別な前提条件は、本発明の方法により認識され、光ディスク規格において予め規定されているのとは異なるやり方で応答され得る。この前提条件を特別なものとしている特徴は、この前提条件がプリセットされている（予め設定されている）という特徴である。このことは、この前提条件の結果が、たとえば再生装置３００のいわゆる再生ステータス１０２（ＰＬＡＹＢＡＣＫ  ＳＴＡＴＵＳ）をアクティブ化する役割を担うユーザー入力に、依存するものではないことを意味する。プリセット前提条件を含む条件コマンドの１つの例は、「比較およびジャンプ」コマンドであり、これがＤＶＤ上で使用される場合には、
ＩＦ  （ＰＲＭ［ＣＰ１］＝ＰＲＭ［ＣＰ２］）  ＴＨＥＮ  ＪＵＭＰＴＴ（）
ただし、ＣＰ１＝ＣＰ２＝１５
のような様相を呈し得る。この「ＩＦ」宣言中の前提条件は常に真であるので、ＪＵＮＰＴＴコマンド（Ｊｕｍｐ−Ｔｏ−Ｔｉｔｌｅ；タイトルへジャンプ）は常に実行される。この前提条件（ＰＲＭ［ＣＰ１］＝ＰＲＭ［ＣＰ２］）は、プリセットされており、本発明の方法により認識することができる。再生装置３００は、たとえば図１に示したナビゲーション構造１０４中のコマンドを分析するサブルーチンを通じて、前提条件がプリセットされていることを認識することができる。その再生装置３００は、ＪＵＭＰＴＴコマンドを無視し、次のコマンドへと移るように命令される。次のコマンドは、保護されたコンテンツ（制限コンテンツ１０７）が記憶されたディスク上の場所に移動し、コンテンツを読み出し、そのコンテンツを再生シーケンス１１２に含めるよう、再生装置３００のリーダーユニット３０２に命令する。この「比較およびジャンプ」コマンドをディスク上に実装するには、当然、いくつかの手法が存在する。１つの例では、制限コンテンツは映画であり、プリセット前提条件を再生装置３００が認識できる場合のみ、その映画へのアクセスがなされる。別の１つの例では、制限コンテンツは広告である。プリセット前提条件を認識することができない再生装置３００は、それらの広告を常にユーザーに提示する。一方、プリセット前提条件を認識することができる再生装置３００は、それらの広告をジャンプして、映画のみをユーザーに提示する。
【００２８】
本実施形態の方法の最初のステップは、分析コマンド１０５（ＡＮＡＬＹＳＥ  ＣＯＭＭＡＮＤＳ）で示されている。この方法の次のステップ「条件コマンド？」１１０（ＣＯＮＤＩＴＩＯＮＡＬ  ＣＯＭＭＡＮＤＳ？）は、そのコマンドが条件コマンドであるか否かをチェックするステップである。コマンドが条件コマンドでない場合には、この方法は、ステップ「アクション」１０９（ＡＣＴＩＯＮ）へと進行し、光ディスク規格で規定されているように、ナビゲーションコマンドに対して動作を開始する。ステップ「アクション」１０９において規定されている動作は、リーダーがディスク上の特定の場所に移動し、再生シーケンス１１２に追加されるフリーコンテンツの一部１０６ａを取り出すことを意味するものであってもよい。ステップ「アクション」１０９において規定されている動作が実行された後、本実施形態の方法は、ステップ「次のコマンド」１０８（ＮＥＸＴ  ＣＯＭＭＡＮＤ）へと戻る。再度、ステップ「条件コマンド？」１１０が、そのコマンドが条件コマンドであるか否かをチェックする。コマンドが条件コマンドであれば、この方法は、ステップ「前提条件はプリセットされたものか？」１１１（ＰＲＥＣＯＮＤＩＴＩＯＮ  ＰＲＥＳＥＴ？）へと進行し、その条件コマンドの前提条件が、上記の例で説明したいわゆるプリセット前提条件であるか否かをチェックする。プリセット前提条件の結果は固定されており、再生装置の再生ステータス１０２に依存しない。条件コマンドの前提条件がプリセット前提条件でない場合には、この方法は、再びステップ「アクション」１０９へと進行し、光ディスク規格で規定されているように、ナビゲーションコマンドに対して動作を開始する。再生装置３００の再生ステータス１０２は、ステップ「アクション」１０９に対する入力として用いられる。ここでも、このことは、フリーコンテンツ１０６の別の部分が再生シーケンス１１２に含められることを示唆するものであってもよい。続いて、この方法は、再びステップ「次のコマンド」１０８へと戻る。ステップ「前提条件はプリセットされたものか？」１１１でチェックされた条件コマンドの前提条件が、プリセット前提条件である場合には、この方法は、ステップ「異なるアクション」１１３（ＤＩＦＦＥＲＥＮＴ  ＡＣＴＩＯＮ）へと進行する。このステップへの進行は、本実施形態の方法が、条件コマンドに対して、光ディスク規格で規定されているのとは異なる動作を行うようになす。ここでの例では、再生装置３００は、Ｊｕｍｐ−Ｔｏ−Ｔｉｔｌｅコマンドを無視して次のコマンドへと進むように命令される。ステップ「異なるアクション」１１３で規定されている動作は、リーダーが、通常はアクセスから保護されているディスク上の場所に移動し、制限コンテンツの一部１０７ａを取り出すことを示唆するものであってもよい。その後、この制限コンテンツ１０７ａは、再生シーケンス１１２に追加される。ステップ「異なるアクション」１１３で規定される動作は、再生ステータス１０２に依存しない。その後、この方法はステップ「次のコマンド」１０８へと戻り、コマンドシーケンス全体が処理されるまで、以上のシーケンスを繰り返す。並行して、再生シーケンス１１２が、��示のために伝送される。
【００２９】
図２は、光ディスク１００上のデータ構造を示している。主要構造は、セットアップおよびメニューの制御のためのデータ（いわゆるＶＭＧ  ２０２）と、ビデオタイトルのいくつかの組（ＶＴＳ＃１  ２０３、ＶＴＳ＃２  ２０４およびＶＴＳ＃３  ２０５と呼ばれる）とを含んでいる。ビデオタイトルの１つの組ＶＴＳ＃ｎは、単一のビデオタイトルを含むものであってもよいし、複数のビデオタイトルの組を含むものであってもよい。これらのデータブロックまたはファイルの各々は、ナビゲーションコマンド、ビデオ画像、およびバックアップ・ナビゲーションコマンドを含んでいる。ＶＭＧ  ２０２に対し、光ディスクメニューを生成および制御するためのナビゲーションコマンドは、いくつかのプログラムチェーンを含むＶＭＧＩ  ２０６に配置されている。これら複数のプログラムチェーンを通じて、ディスク上のナビゲーションが制御される。メニュー内で使用され得るビデオ画像は、ＶＭＧＭ＿ＶＯＢ  ２１２内に配置されている。バックアップＶＭＧＩ  ２０７により、ＶＭＧ  ２０２のコンテンツは終結する。ビデオタイトルの組ＶＴＳ＃１  ２０３、ＶＴＳ＃２  ２０４およびＶＴＳ＃３  ２０５に対しては、ナビゲーションコマンドは、ＶＴＳＩ  ２０８および２１０に配置されており、タイトルの各組に関する追加のメニューオプションをサポートしている。ＶＴＳ＃１  ２０３のＶＴＳＩ  ２０８は、そのビデオコンテンツの組が自由にアクセス可能なものである場合に用いられるナビゲーションコマンドを含んでいる。ＶＴＳ＃ｎ  ２０３、２０４、２０５のメニュー内で使用され得るビデオ画像は、ビデオコンテンツＶＴＳＭ＿ＶＯＢ  ２１３内に配置されている。ＶＴＳ＃２  ２０４とＶＴＳ＃３  ２０５との双方のＶＴＳＩ  ２１０は、追加のナビゲーションコマンドを含んでおり、この追加のナビゲーションコマンドにより、ビデオの組へのアクセスまたはビデオの組の一部へのアクセスが制限される。実際のビデオストリームの組は、ＶＴＳＴＴ＿ＶＯＢ  １０６、１０７内に配置されている。各ＶＴＳ＃ｎは、このＶＴＳＴＴ＿ＶＯＢ内にいくつかのビデオタイトルを包含することができる。ＶＴＳ＃１  ２０３は、自由にアクセス可能な情報の組（フリーコンテンツ１０６）を含んでいる。ＶＴＳ＃２  ２０４は、ビデオタイトル・コンテンツの完全な組へのアクセスが制限されている情報の組（制限コンテンツ１０７）を含んでいる。ＶＴＳ＃３  ２０５は、自由にアクセス可能な情報の組（フリーコンテンツ１０６）と、アクセスが制限されている情報の組（制限コンテンツ１０７）との双方が混在した情報の組を含んでいる。最後に、ナビゲーションコマンドの組のバックアップ（バックアップＶＴＳＩ  ２０９、２１１）により、種々のビデオタイトルの組ＶＴＳ＃１  ２０３、ＶＴＳ＃２  ２０４およびＶＴＳ＃３  ２０５が終結する。記録可能型のディスク上には、その光ディスクの最も中心側に、追加のデータの組が存在する。ＤＶＤ＋ＲＷ規格に関していえば、この追加のデータの組は、ＶＲＭＩ  ２０１と呼ばれ、ビデオ記録のプロセスを支援するためのデータ構造を含んでいる。さらに、上記で説明したようなファイルのシーケンスは、記録可能型または書換可能型のディスクに対��ては異なるものとされ得る。
【００３０】
前述の「比較およびジャンプ」コマンドのような、プリセット前提条件を含む先行の条件コマンドは、ディスク上のいくつかのコマンドシーケンス内に配置されてもよい。メニューＶＭＧＩ  ２０６内において、「比較およびジャンプ」コマンドは、制限コンテンツへのアクセスがユーザーに対して遮断されるように、光ディスクのメニューを構成することができる。ユーザーは、単純に、メニュー内の遮断されたビデオタイトルの組を選択することができなくなる。プリセット前提条件を認識する再生装置３００のみが、ユーザーに対して、遮断されたビデオタイトルの組へのアクセス権限を与える。２つのビデオタイトルの組ＶＴＳ＃２  ２０４およびＶＴＳ＃３  ２０５のコマンドシーケンスＶＴＳＩ  ２１０内においても、「比較およびジャンプ」コマンドは、制限コンテンツ１０７へのアクセスを制限することができる。タイトルＶＴＳ＃２  ２０４の完全な組へのアクセスは、プリセット前提条件を認識しない再生装置に対しては、遮断される。ＶＴＳ＃３  ２０５のコマンドシーケンス内では、「比較およびジャンプ」コマンドは、制限コンテンツ１０７を含むコンテンツ部分のみを遮断すべきである。当然ながら、これら先行の条件コマンドのコピーが、バックアップＶＴＳＩ  ２０７、２１１内の、各コマンドシーケンスのバックアップ内に配される。
【００３１】
本発明の１つの実施形態では、プリセット前提条件を含む先行の条件コマンドは、ボタンコマンド内に含まれる。たとえば、標準的なボタンコマンドは、位置情報、隣接ボタン情報、およびコマンドフィールドを含む。ボタンコマンドのコマンドフィールドは、任意のコマンドを含み得る。先行の条件コマンドを含めることにより、情報の一部へのアクセスを制限することが可能となる。ボタンコマンドが提供するさらなる特徴は、これらのボタンコマンドは、アクセスが制限されるべき情報（制限コンテンツ１０７）の前に配置されているビデオコンテンツ内に、直接配置され得る点である。
【００３２】
本発明の別の１つの実施形態では、操作不能なボタンコマンドＮＢＣ（図６）が、情報の一部へのアクセスを制限するための先行の条件コマンドとして用いられる。標準的なボタンコマンドは、アクティブ期間中において操作可能であり、ユーザーが働きかけることができるボタンを表示する。標準的なボタンコマンドを操作できるアクティブ期間は、ボタンコマンドの前提条件を構成する。ボタンコマンドは、光ディスクのコンテンツに亘るナビゲーション（たとえば、異なるタイトルへの移動や、現在の画像を異なる角度から見るオプションをユーザーに一時的に与える等）を行うのに用いることができる。操作が可能とされるアクティブ期間が実質的にゼロであるボタンコマンドを、操作不能なボタンコマンドＮＢＣと呼ぶ。プリセット前提条件を認識することのできる再生装置３００は、実質的にゼロであるアクティブ期間を介して、操作不能なボタンコマンド（ＮＢＣ）を認識することができる。操作不能なボタンコマンドはまた、アクセスが制限されるべき情報（制限コンテンツ１０７）の前に配置されているビデオコンテンツ内に、直接配置されてもよい。
【００３３】
別の１つの実施形態では、アクセスが制限されるべき情報（制限コンテンツ１０７）は、暗号化された情報であってもよく、さらに自由にアクセス可能な情報または暗号化されていない情報（フリーコンテンツ１０６）と混在させられてもよい。
【００３４】
別の１つの実施形態では、光ディスクは、ディスク上の予め規定された場所に配置された追加の識別コード４０１（ＩＤＥＮＴＩＦＩＣＡＴＩＯＮ  ＣＯＤＥ）を含むものとされる（図４）。識別コード４０１は、そのディスクが先行の条件コマンド（たとえば「比較およびジャンプ」コマンドや操作不能なボタンコマンド（ＮＢＣ））を含むものであることを示す。識別コードのための１つの自明な場所としては、ＶＲＭＩ  ２０１内の場所が挙げられる。
【００３５】
図３は、プリセット前提条件を認識することのできる再生装置３００（ＰＬＡＹＥＲ）の模式図である。この再生装置３００は、リーダーユニット３０２（ＲＥＡＤＥＲ  ＵＮＩＴ）を含む。このリーダーユニット３０２により、光ディスク１００からデータが取り出される。リーダーユニット３０２は、制御ユニット３０１（ＣＯＮＴＲＯＬＬＥＲ  ＵＮＩＴ）に接続されている。制御ユニット３０１は、リーダーユニット３０２により読み出されたデータを受け取り、再生ステータス１０２を考慮に入れて、そのコンテンツを、再生シーケンス１１２と呼ばれるシーケンスに変換するように構成されている。データは、フリーコンテンツ１０６と、ナビゲーション構造１０４とを含む。制御ユニット３０１は、ナビゲーション構造１０４からナビゲーションコマンドを翻訳して、リーダーユニット３０２に対し、指示されたディスク上の場所に移動し、フリーコンテンツ１０６の一部を読み出すように命令する。読み出されたコンテンツの一部は、制御ユニット３０１により繋ぎ合わされて、シーケンス（いわゆる再生シーケンス１１２）とされる。加えて、プリセット前提条件を認識することのできる再生装置３００は、保護された情報（制限コンテンツ１０７）にアクセスし、このコンテンツを再生シーケンス１１２に追加することもできる。プリセット前提条件の認識は、ナビゲーション構造１０４の分析を通じて行われる。この分析は、たとえば、「プリセット？」３０３（ＰＲＥＳＥＴ？）で示される、制御ユニット３０１内のサブルーチンを通じて行われる。再生装置は、上記の「比較およびジャンプ」コマンドや操作不能なボタンコマンドＮＢＣのような、プリセット前提条件に突き当たると、光ディスク規格において予め規定されているのとは異なる動作を、その条件コマンドに対して行う。条件コマンドに対する、光ディスク規格とは異なる動作の仕方は、制御ユニット３０１の別の部分に記憶されている。この部分を「異なる動作」３０４（ＡＣＴ  ＤＩＦＦＥＲＥＮＴ）で示すこととする。上記で説明したように、「比較およびジャンプ」コマンドに対して異なる動作をする１つの例は、たとえば顧客が追加料金を支払った場合に映画から広告を除くといったような、制限コンテンツ１０７をスキップする例である。あるいは、異なる動作は、制限コンテンツ１０７が実際の映画であって、プリセット前提条件を含む条件コマンドによりその映画へのアクセスが制限されている場合における、制限コンテンツ１０７にアクセスする動作であってもよい。
【００３６】
１つの実施形態では、プリセット前提条件を認識するためのサブルーチンは、常にアクティブ状態ではない。ナビゲーション構造１０４の分析を開始するためのサブルーチンのアクティブ化は、一例では、ディスク上に配されている識別コードを通じて行われる。この識別コードは、リーダーユニット３０２により、残りのデータと共に読み出され、制御ユニット３０１により、サブルーチンをアクティブ化するために翻訳される。別の例では、たとえば、ユーザーに提供され、再生装置に差し込まれたリモートコントローラを介するある種の番号キーを用いて、光ディスクが「比較およびジャンプ」コマンドまたは操作不能なボタンコマンドＮＢＣを含むことが、制御ユニット３０１に示される。これにより、サブルーチンがアクティブ化される。
【００３７】
図４は、追加のキーまたは識別コードのチェック、および解読のオプションを伴うフローチャートを示している。このフローチャートの最初の部分は、条件コマンド１１０に突き当たるまで、図１に示した方法の説明と同様に実行される。ここで、追加のステップ「識別コード／キー？」４０１（ＩＤＥＮＴＩＦＩＣＡＴＩＯＮ  ＣＯＤＥ／ＫＥＹ？）が追加されている。このステップは、実行されると、たとえば、ディスク上の特定の場所に移動してそこにある識別コードを読み出し、その識別コードを再生装置３００のメモリ中に配されているコードと比較するよう、リーダーユニット３０２に命令する。別の例では、再生装置３００は、たとえばリモートコントローラを介して、番号キーがユーザーから与えられるよう要求する。当然ながら、これら２つの例を組み合わせる形態、すなわち、ユーザーから与えられた番号キーを、再生装置３００が、ディスクから読み出された識別コードと比較するような形態も可能である。ディスクが追加の識別コードを含んでいる場合、または正しい番号キーが与えられた場合には、再生装置３００は、サブルーチンの残りの部分を続行し、図３を用いて説明したように、プリセット前提条件を探索する。この特徴は、プリセット前提条件を認識するサブルーチンが常にアクティブ状態となることを防止し、さらなるアクセス制限を可能とする。この特徴はさらに、条件コマンドを、プリセット前提条件であると誤って認識すること、すなわち条件コマンドに対して光ディスク規格で予め規定されているのと異なる動作を誤って行うことを防止する。
【００３８】
図４には、ステップ「異なるアクション」１１３が解読アルゴリズム４０２（ＤＥＣＲＹＰＴＩＯＮ）をトリガする、さらなる実施形態が示されている。この実施形態は、制限コンテンツ１０７を再生シーケンス１１２に追加する前に解読するために、再生装置３００に実装され得る。図４に示された２つの実施形態の組合せは、ディスクが識別コードを含んでいる場合、または正しい番号キーが再生装置３００に与えられた場合にのみ、プリセット前提条件が認識されるような再生装置を結果としてもたらす。制限コンテンツ１０７は、かかる場合にのみ解読される。
【００３９】
図５は、プリセット前提条件を実装することのできる光ディスク記録装置５００（ＯＰＴＩＣＡＬ  ＤＩＳＣ  ＲＥＣＯＲＤＥＲ）の模式図を示している。この光ディスク記録装置５００は、制御ユニット５０２（ＣＯＮＴＲＯＬ  ＵＮＩＴ）に接続された、記録ユニット５０３（ＲＥＣＯＲＤＥＲ  ＵＮＩＴ）を含んでいる。制御ユニット５０２は、入力データ５０１（ＩＮＰＵＴ  ＤＡＴＡ）を受け取り、ユーザー入力５０４（ＵＳＥＲ  ＩＮＰＵＴ）を考慮した後に、この入力データ５０１を、光ディスク１００に記録されるフリーコンテンツ１０６およびナビゲーション構造１０４に変換するように構成されている。入力データ５０１またはその一部がアクセス制限を必要とするものである場合には、光ディスク記録装置５００は、条件コマンド内に、プリセット前提条件を含める。プリセット前提条件を含む条件コマンドは、たとえば可能性のあるプリセット前提条件のリストにリンクされた制御ユニット５０２内の追加のソフトウェアを介して、ナビゲーション構造１０４に加えられてもよい。図５では、この追加のソフトウェアは、ブロック「プリセット前提条件を包含」５０８（ＩＮＣＬＵＤＥＤ  ＰＲＥＳＥＴ  ＣＯＮＤＩＴＩＯＮＳ）により特定されている。アクセス制限を必要とするコンテンツの認識は、入力データ５０１内のコードを通じて、またはユーザー入力５０４を通じてなされる。一例として、ユーザーは、記録が始まる前に、そのデータがアクセス制限を受けるべきであることを指示する。図５では、コンテンツがアクセス制限を必要とするものであることを示すコード探索のため、入力データ５０１をスキャンするのに用いられる追加のソフトウェアが、ブロック「アクセス制限？」５０７（ＣＯＮＴＥＮＴ  ＣＯＮＴＲＯＬＬＥＤ？）により示されている。入力データ５０１のアクセスが制限されている部分は、制限コンテンツ１０７として、ディスク上に記憶される。
【００４０】
図５に示した光ディスク記録装置５００の１つの実施形態では、光ディスク記録装置５００はまた、コンテンツがディスク上に記録される前に、暗号化ソフトウェアを介して制限コンテンツ１０７を暗号化する。この暗号化ソフトウェアは、図５では、ブロック「暗号化」５０５（ＥＮＣＲＹＰＴＩＯＮ）により示されている。
【００４１】
図５に示した光ディスク記録装置５００の別の１つの実施形態では、識別コードがディスクに追加される。このコードは、そのディスクが制限コンテンツ１０７を含むものであり、プリセット前提条件を含む条件コマンドが存在することを示すコードである。この識別コードは、記録ユニット５０３を予め規定された場所に移動させディスク上にコードを記録するよう制御ユニット５０２に命令する、別のサブルーチンまたはソフトウェアを通じて追加されてもよい。この識別コードを追加するためのサブルーチンは、図５では、ブロック「識別」５０６（ＩＤＥＮＴＩＦＩＣＡＴＩＯＮ）で示されている。
【００４２】
図６は、一部暗号化されたＤＶＤ６００（ＰＡＲＴＩＡＬＬＹ  ＥＮＣＲＹＰＴＥＤ  ＤＶＤ）上への実装例を示した図である。この一部暗号化されたＤＶＤ６００は、フリーコンテンツ１０６と共に、制限コンテンツ１０７を含んでいる。図６は、従来型の再生装置６０２（ＬＥＧＡＣＹ  ＰＬＡＹＥＲ）が、プリセット前提条件を含む条件コマンドを用いて、どのように制限コンテンツ１０７を避けてナビゲーションされるかを示している。図６はさらに、先行の条件コマンドに対してＤＶＤ規格で予め規定されているのとは異なる動作を行うことにより、制限コンテンツ１０７へのアクセスを可能とする、イネーブル化された再生装置６０１（ＥＮＡＢＬＥＤ  ＰＬＡＹＥＲ）を示している。各矢印は、生じ得るナビゲーションの進行を示している。その他、図６は、メニューＶＭＧＩ  ２０６のコマンドシーケンス、ビデオタイトルの異なる組ＶＴＳＩ  ２０８、２１０、およびそれらビデオタイトルの組の各々に含まれるビデオコンテンツＶＴＳＴＴ＿ＶＯＢ  １０６、１０７のみを示している。メニュー内で使用され得るビデオ画像ＶＭＧＭ＿ＶＯＢ  ２１２およびＶＴＳＭ＿ＶＯＢ  ２１３は省略されており、バックアップナビゲーション構造であるバックアップＶＴＳＩ  ２０７、２１１もまた省略されている。従来型の再生装置６０２は、まず、メニューＶＭＧＩ  ２０６のコマンドシーケンスの一部である、いわゆる第１の再生ＰＧＣ  ２０６ａ（ＦＩＲＳＴ  ＰＬＡＹ  ＰＧＣ）に突き当たる。このコマンドシーケンスは、ディスクのロード後、ただちに実行される。従来型の再生装置６０２は、第１の再生ＰＧＣ  ２０６ａ内にある先行の条件コマンドを実行して、従来型のメニュー６０３ｂ（ＬＥＧＡＣＹ  ＭＥＮＵ）へと移る。このメニューは、制限コンテンツ１０７のみを含むビデオタイトルの組ＶＴＳ＃２  ２０４へのアクセスは与えないが、その他のビデオタイトルの組ＶＴＳ＃１  ２０３、ＶＴＳ＃３  ２０５およびＶＴＳ＃４  ６０４へのアクセスは与える。この従来型のメニュー６０３ｂは、従来型のナビゲーション２０６ｂ（ＬＥＧＡＣＹ  ＮＡＶＩＧＡＴＩＯＮ）のコマンドシーケンスと共に構築されている。このとき、制限コンテンツ１０７は、メインＤＶＤメニューからはアクセスできないが、この制限コンテンツ１０７をユーザーから確実に保護するためには、プリセット前提条件を含む追加の先行の条件コマンドが必要である。第１のタイトルのコマンド構造内には、保護されているコンテンツに先行して、プリセット前提条件を含む追加の先行の条件コマンドが、次のタイトルコマンドとして追加されるべきである。この次のタイトルコマンドは、現在のタイトルの終了後ただちに次のタイトルが再生されることを保障する。プリセット前提条件を含む次のタイトルコマンドは、従来型の再生装置６０２が、第１のビデオタイトルＶＴＳ＃１  ２０３の終点に到達したとき、保護されたＶＴＳ＃２  ２０４をジャンプすることを保障する。それでも、従来型の再生装置６０２が保護されたＶＴＳ＃２  ２０４をジャンプすることを保障するためには、保護されたビデオタイトルの組ＶＴＳ＃２  ２０４のコマンド構造内に、プリセット前提条件を含む追加の先行の条件コマンドが必要である。���の追加のコマンドが必要なのは、ＤＶＤ再生装置は、従来型のメニュー６０３ｂ内での選択を行うことなく、特定のビデオタイトルを直接再生するように命令されることもあり得るからである。ビデオタイトルの組ＶＴＳ＃３  ２０５内では、タイトルの組の一部のみが、制限コンテンツ１０７を含んでいる。プリセット前提条件を含む先行の条件コマンドは、それらのビデオタイトルの組のコマンドシーケンスＶＴＳＩ  ２１０内に配されており、ビデオタイトルの組ＶＴＳ＃３  ２０５内の制限コンテンツ１０７である部分を従来型の再生装置がジャンプするように保障する。イネーブル化された再生装置６０１は、第１の再生ＰＧＣ  ２０６ａ内にある先行の条件コマンドに対して異なった動作を行い、視聴者に対して、イネーブル化されたメニュー６０３ａ（ＥＮＡＢＬＥＤ  ＭＥＮＵ）を提示する。このイネーブル化されたメニュー６０３ａでは、制限コンテンツ１０７を含むビデオタイトルの組ＶＴＳ＃２  ２０４は、他のあらゆるビデオタイトルに続いて自由にアクセス可能とされる。イネーブル化されたメニュー６０３ａは、イネーブル化されたナビゲーション２０６ｃ（ＥＮＡＢＬＥＤ  ＮＡＶＩＧＡＴＩＯＮ）のコマンドシーケンスと共に構築される。一部暗号化されたＤＶＤ６００上に分布させられた他の先行の条件コマンドも、イネーブル化された再生装置６０１により認識される。制限コンテンツ１０７を避けて従来型の再生装置６０２をナビゲーションするこれら先行の条件コマンドは、イネーブル化された再生装置６０１からは異なる動作を誘起し、制限コンテンツ１０７へのアクセスを可能とする。図６はまた、一部暗号化されたＤＶＤ６００が、ディスク上のＶＲＭＩ  ２０１内に配され得る識別コード４０１を含む可能性を示している。この識別コード４０１は、再生装置内において、前提条件を認識するために用いられる追加のプログラミングをアクティブ化する（ｐｒｅｓｅｔ？  ３０３）。図６にはさらに、制限コンテンツ１０７が従来型の再生装置６０２からアクセスされるのを防止する、可能性のある操作不能なボタンコマンドＮＢＣの場所も示されている。これらの場所では、コマンドフィールド内に先行の条件コマンドを含む標準的なボタンコマンドを用いて、制限コンテンツ１０７を保護することもできる。イネーブル化された再生装置６０１は、操作不能なボタンコマンドＮＢＣ、および先行の条件コマンドを含むボタンコマンドに対し、プリセット前提条件を含むその他の先行の条件コマンドに対する反応として上記で説明したのと同様の反応をする。
【００４３】
上記の実施形態は、説明の目的のものであって、本発明を限定する目的のものでないことを理解されたい。また、当業者においては、特許請求の範囲による本発明の範囲から逸脱することなく多くの変更形態を設計することが可能である。
【００４４】
各請求項においては、括弧内のいずれの参照符号も、その請求項を限定するものと捉えられるべきではない。「含む」ならびに「備える」との動詞およびそれらの活用形の使用は、請求項に記載した以外の要素または工程の存在を排除するものではない。ある要素の前に置かれた「１つの」との語は、そのような要素が複数存在することを排除するものではない。本発明は、複数の別個の要素を含むハードウェアによって実装されてもよいし、適切にプログラミングされたソフトウェアによって実装されてもよい。複数の手段を列挙した装置の請求項では、それらの手段のいくつかが、ハードウェアの同一の１つの項目により実装されてもよい。単に特定の方策が互いに異なる従属請求項内に記載されているという事実は、それらの方策の組合せは有利に使用できないものであることを示すものではない。
【図面の簡単な説明】
【００４５】
【図１】本発明に従う方法の流れ図
【図２】光ディスク上のデータ構造を示した図
【図３】プリセット前提条件を認識することのできる再生装置の模式図
【図４】追加のキーまたは識別コードのチェック、および解読のオプションを伴うフローチャート
【図５】プリセット前提条件を実装することのできる光ディスク記録装置の模式図
【図６】一部暗号化されたＤＶＤ上への実装例を示した図
【図１】
2007512646.tif 000003
【図２】
2007512646.tif 000004
【図３】
2007512646.tif 000005
【図４】
2007512646.tif 000006
【図５】
2007512646.tif 000007
【図６】
2007512646.tif 000008
【国際調査報告】
2007512646.tif 000009
2007512646.tif 000010